(57)【特許請求の範囲】
【請求項１】
装置本体に、円筒状の連結部を介して、発光部を回動自在に連結した電子閃光装置において、
前記発光部の筐体を上ケースおよび下ケースを備えて構成し、
前記上ケースの内側に、前記連結部からの雨滴侵入を阻む上側防滴部材を設け、
前記下ケースの内側に、前記連結部からの雨滴侵入を阻む下側防滴部材を設け、
前記上側防滴部材の下部および前記下側防滴部材の上部が、前記連結部の側から見て重なり合っている
ことを特徴とする電子閃光装置。
【請求項２】
請求項１に記載の電子閃光装置において、
前記上側防滴部材の上端は、
前記上ケースの内壁上面に斜め向きに係止されている
ことを特徴とする電子閃光装置。
【請求項３】
請求項２に記載の電子閃光装置において、
前記上側防滴部材は、
前記連結部の円筒周壁に沿って折曲されている
ことを特徴とする電子閃光装置。
【請求項４】
請求項３に記載の電子閃光装置において、
前記上側防滴部材は、
前記連結部の円筒周壁に沿って略円弧状に折曲されている
ことを特徴とする電子閃光装置。
【発明の詳細な説明】
【０００１】
【発明の属する技術分野】
本発明は、写真撮影の照明手段として使用される電子閃光装置に関する。
【０００２】
【従来の技術】
図３は、従来の電子閃光装置８１を示す図である。
図３において、電子閃光装置８１の装置本体８２には、カメラなどのホットシューに接続可能な脚部８３が設けられる。また、装置本体８２には、円筒状の連結部８４を介して、発光部８５が回動自在に連結される。この発光部８５の筐体は、上ケース８７および下ケース８８を図面の上下方向に接合し、かつ筐体前面に透明プロテクタ８６をはめ込んで構成される。
この上ケース８７および下ケース８８の内壁には、連結部８４側からの雨滴侵入を阻むために、上側防滴壁９１および下側防滴壁９２がそれぞれ設けられる。
【０００３】
【発明が解決しようとする課題】
ところで、上述した従来例では、上側防滴壁９１および下側防滴壁９２を突き合わせて、一枚の防滴壁９３を構成する。この防滴壁９３により、連結部８４側からの雨滴侵入を防ぐ。
しかし、上側防滴壁９１および下側防滴壁９２の先端に、反りや凹凸が万一存在した場合、防滴壁９３の突き合わせ箇所には微小な間隙ができる。この状態で、発光部８５の筐体に、通常の使用状況では想定できない程の強い力が加わった場合、防滴壁９３の間隙が拡大するおそれがある。このように間隙が拡大した状態で、連結部８４側から大量の雨滴が入った場合、発光部８５内に雨滴が漏れ込むといった事態が想定される。
【０００４】
また、円筒状の連結部８４と、平板状の防滴壁９３との間には、図３に示すようにデットスペース９４が生じる。このようなデットスペース９４の分だけ発光部８５の奥行きが長くなるという問題点があった。
このように発光部８５の奥行きが長くなると、発光部８５の重心が離れて連結部８４にかかるトルクが大きくなる。そのため、連結部８４において、発光部８５を強く固定（ロック）しなければならないといった問題が生じる。
また、発光部８５の奥行きが長くなる分だけ、電子閃光装置８１の重心バランスが崩れやすいという問題も生じる。
そこで、本発明では、上述した問題点に鑑みて、防滴性能を向上させた電子閃光装置を提供することを目的とする。
【０００５】
【課題を解決するための手段】
上述した課題を解決するため、本発明は下記のように構成される。
【０００６】
《請求項１》
請求項１に記載の発明は、円筒状の連結部を介して装置本体に発光部を回動自在に連結した電子閃光装置において、発光部の筐体を上ケースおよび下ケースを備えて構成し、上ケースの内側に連結部からの雨滴侵入を阻む上側防滴部材を設け、下ケースの内側に連結部からの雨滴侵入を阻む下側防滴部材を設け、上側防滴部材の下部および下側防滴部材の上部が、連結部の側から見て重なり合っていることを特徴とする。
【０００７】
《請求項２》
請求項２に記載の発明は、請求項１に記載の電子閃光装置において、上側防滴部材の上端が上ケースの内壁上面に斜め向きに係止されていることを特徴とする。
【０００８】
《請求項３》
請求項３に記載の発明は、請求項２に記載の電子閃光装置において、上側防滴部材が連結部の円筒周壁に沿って折曲されていることを特徴とする。
【０００９】
《請求項４》
請求項４に記載の発明は、請求項３に記載の電子閃光装置において、上側防滴部材が連結部の円筒周壁に沿って略円弧状に折曲されていることを特徴とする。
【００１０】
【発明の実施の形態】
以下、請求項１〜４に対応する実施形態を説明する。
図１は、本実施形態における電子閃光装置１１の構成を示す図である。
図２は、電子閃光装置１１の要部拡大図である。
図１および図２において、電子閃光装置１１の装置本体１２には、カメラなどのホットシューに接続可能な脚部１３が設けられる。また、装置本体１２には、円筒状の連結部１４を介して、発光部１５が回動自在に連結される。
【００１１】
この発光部１５の内部には、閃光管２１、照射角駆動部２２、発光回路２３などが配置される。
また、発光部１５の筐体は、上ケース２５および下ケース２６を図面の上下方向に接合し、かつ筐体前面に透明プロテクタ２４をはめ込んで構成される。
この上ケース２５側には、薄い樹脂板からなる上側防滴シート３１（上側防滴部材に対応）が設けられる。この上側防滴シート３１の上端は、上ケース２５の係止箇所３３に両面テープなどで、斜め向きに係止される。この上側防滴シート３１は、連結部１４の円筒周壁１４ａに沿って略円弧状に屈曲される。
【００１２】
一方、下ケース２６の内壁には、下側防滴壁３２（下側防滴部材に対応）が設けられる。この下側防滴壁３２は、下ケース２６内を２つに区切り、雨滴溜まり４２の空間を形成する。
上側防滴シート３１の下端は、下側防滴壁３２の上端よりも下に位置し、雨滴溜まり４２まで届く。
【００１３】
［本実施形態の効果など］
本実施形態では、強い雨に晒された状況において、連結部１４上部の侵入間隙４１から雨滴が侵入する。この雨滴は、上側防滴シート３１と円筒周壁１４ａとの隙間を伝わって滴り、雨滴溜まり４２に滴下する。この雨滴溜まり４２は、下側防滴壁３２により区切られるため、発光部１５内部に雨滴が侵入するおそれは極めて少ない。このようにして雨滴溜まり４２に溜まった雨滴は、連結部１４下部の排出溝４３から自然に排出される。
【００１４】
さらに、本実施形態では、発光回路２３や照射角駆動部２２を上ケース２５側に集中配置する。そのため、下側防滴壁３２を越えて雨滴が万一侵入しても、これらの部品が、雨滴に晒されるおそれは非常に少ない。
以上の作用により、本実施形態では、発光部１５内への雨滴侵入を、従来よりも確実に防ぐことができる。さらに、強い力によって上ケース２５が若干歪んでも、シート形状の上側防滴シート３１は歪みの悪影響を殆ど受けない。そのため、歪みによる防滴性能の低下は殆ど無視できる。
【００１５】
また、本実施形態では、上側防滴シート３１の上端が、連結部１４の上側の斜め領域にくい込んで、斜め向きに係止される。したがって、従来例で述べたデットスペース９４を解消することが可能になる。このように生まれた新規スペースに、照射角駆動部２２などを一部配置することにより、発光部１５の奥行きを効率的に短縮することが可能になる。
その結果、発光部１５の重心位置が連結部１４に近づき、連結部１４に作用する重力トルクを低減させることができる。また、発光部１５の奥行きが短くなる分だけ、電子閃光装置１１の重心バランスを改善することができる。
【００１６】
【発明の効果】
《請求項１》
請求項１の電子閃光装置では、連結部の側から見て、上側防滴部材の下部および下側防滴部材の上部が重なるように構成する。このような重なりを設けることにより、連結部側から侵入した雨滴が発光部内に漏れ込む現象を改善することができる。
なお、本発明では、上側防滴部材を下側防滴部材よりも連結部に近く配置することが好ましい。このような配置関係では、上側防滴部材を滴り落ちる雨滴が、下側防滴部材で遮られ、発光部内に侵入しない。したがって、防滴効果をより高めることが可能になる。
【００１７】
《請求項２》
請求項２の電子閃光装置では、上側防滴部材の上端を、上ケースの内壁上面に斜め向きに係止する。この場合、連結部の上側の斜め領域にくい込んで、上側防滴部材の上端を係止することが可能になる。その結果、従来例のようなデットスペースを確実に解消することが可能になる。
このデットスペースの解消により、発光部の奥行きを短縮することが可能になる。その結果、発光部の重心が連結部に接近し、連結部に作用する重力トルクを低減することができる。また、発光部の奥行きが短くなる分だけ、電子閃光装置の重心バランスを改善することができる。
【００１８】
《請求項３》
請求項３の電子閃光装置では、上側防滴部材が、連結部の円筒周壁に沿って折曲する。したがって、連結部から侵入した雨滴は、上側防滴部材と連結部との隙間を円筒周壁に沿って流れる。したがって、発光部内への雨滴侵入をより確実に阻止することが可能になる。
【００１９】
《請求項４》
請求項４の電子閃光装置では、上側防滴部材が、連結部の円筒周壁に沿って略円弧状に折曲する。この略円弧状の上側防滴部材により、連結部から侵入する雨滴を一段と確実に阻止することが可能になる。
【図面の簡単な説明】
【図１】本実施形態における電子閃光装置１１の構成を示す図である。
【図２】電子閃光装置１１の要部拡大図である。
【図３】従来の電子閃光装置８１を示す図である。
【符号の説明】
１１  電子閃光装置
１２  装置本体
１３  脚部
１４  連結部
１４ａ  円筒周壁
１５  発光部
２２  照射角駆動部
２３  発光回路
２４  透明プロテクタ
２５  上ケース
２６  下ケース
３１  上側防滴シート
３２  下側防滴壁
４２  雨滴溜まり
４３  排出溝
８１  電子閃光装置
８２  装置本体
８３  脚部
８４  連結部
８５  発光部
８６  透明プロテクタ
８７  上ケース
８８  下ケース
９１  上側防滴壁
９２  下側防滴壁
９３  防滴壁
９４  デットスペース
【図１】
0004538965.tif 000002
【図２】
0004538965.tif 000003
【図３】
0004538965.tif 000004